(57)【要約】【課題】様々な設置姿勢においても円滑に動作状況を確認することが可能な電子機器を提供する。【解決手段】複数の設置姿勢で使用可能なプリンター１であって、そのインジケータ部１２に、複数の設置姿勢に対応した複数の表示ラベル４５Ａ，４５Ｂを個々に剥ぎ取り可能に積層して貼付した。【選択図】図４
2011042134.tif 000002
【特許請求の範囲】
【請求項１】
パネル部を備え、複数の設置姿勢で使用可能な電子機器であって、
前記複数の設置姿勢に対応した複数の表示ラベルが個々に剥ぎ取り可能に積層されて、前記パネル部に貼付されていることを特徴とする電子機器。
【請求項２】
請求項１に記載の電子機器であって、
前記複数の表示ラベルは、複数の設置姿勢の何れかを選択した際に、積層された何れかの前記表示ラベルが、前記パネル部の表示文字及び記号の少なくとも一方が操作者に読み取り可能な方向になることを特徴とする電子機器。
【請求項３】
請求項１または２に記載の電子機器であって、
前記パネル部は少なくとも一つの発光部を備え、
前記複数の表示ラベルは前記発光部を露出させるための孔と、前記発光部の表示内容を示す文字及び記号の少なくとも一方を有することを特徴とする電子機器。
【請求項４】
請求項１または２に記載の電子機器であって、
前記パネル部は少なくとも一つの操作部を備え、
前記複数の表示ラベルは前記操作部を露出させるための孔と、前記操作部の表示内容を示す文字及び記号の少なくとも一方を有することを特徴とする電子機器。
【発明の詳細な説明】
【技術分野】
【０００１】
本発明は、パネル部を有するプリンターなどの電子機器に関する。
【背景技術】
【０００２】
ＰＯＳ（Ｐｏｉｎｔ−Ｏｆ−Ｓａｌｅ）システムなどでは、ロール状の記録紙に印刷を施すレシートプリンター等のプリンターが用いられている。
この種のプリンターとしては、台の上面などの水平面に通常の姿勢や立てた姿勢で設置されたり、壁面などの垂直面に設置されたりして用いられるものが知られている（例えば、特許文献１参照）。
【先行技術文献】
【特許文献】
【０００３】
【特許文献１】特開平９−２９５４３６号公報
【発明の概要】
【発明が解決しようとする課題】
【０００４】
上記のようなプリンターには、その動作状況を表示するインジケータ部や表示を含む操作部がパネル部として設けられているが、上記のような異なる設置姿勢（設置状態）で使用可能なプリンターでは、その設置状態でインジケータ部や操作部の表示内容を示す文字や記号の向きが変化してしまい、ユーザーによるインジケータ部での動作状況の確認や操作部の操作が滞ることがあった。
【０００５】
本発明の目的は、様々な設置姿勢においても円滑に動作状況や操作方法を確認することが可能な電子機器を提供することを目的としている。
【課題を解決するための手段】
【０００６】
上記課題を解決することのできる本発明の電子機器は、パネル部を備え、複数の設置姿勢で使用可能な電子機器であって、前記複数の設置姿勢に対応した複数の表示ラベルが個々に剥ぎ取り可能に積層されて、前記パネル部に貼付されていることを特徴とする。
【０００７】
この構成の電子機器によれば、設置姿勢に応じて表示ラベルを剥ぎ取ることにより、様々な設置姿勢に対応させた表示ラベルを選択することができる。これにより、様々な設置姿勢においても表示ラベルの表示から円滑に動作状況を確認することができる。
【０００８】
また、本発明の電子機器において、前記複数の表示ラベルは、複数の設置姿勢の何れかを選択した際に、積層された何れかの前記表示ラベルが、前記パネル部の表示文字及び記号の少なくとも一方が操作者に読み取り可能な方向になることが好ましい。
この構成の電子機器によれば、設置姿勢に対応して表示ラベルが選択されることにより、パネル部の表示文字及び記号の少なくとも一方が操作者に読み取り可能な方向とされるので、様々な設置姿勢においても操作者はパネル部の表示文字や記号を容易に確認することができる。
【０００９】
また、本発明の電子機器において、前記パネル部は少なくとも一つの発光部を備え、
前記複数の表示ラベルは前記発光部を露出させるための孔と、前記発光部の表示内容を示す文字及び記号の少なくとも一方を有することが好ましい。
この構成の電子機器によれば、表示ラベルが貼り付けられたパネル部の表示文字や記号と発光部での発光の仕方から動作状況を容易に確認することができる。
また、本発明の電子機器において、前記パネル部は少なくとも一つの操作部を備え、
前記複数の表示ラベルは前記操作部を露出させるための孔と、前記操作部の表示内容を示す文字及び記号の少なくとも一方を有することが好ましい。
この構成の電子機器によれば、表示ラベルが貼り付けられたパネル部の表示文字や記号から、操作部の操作の仕方を容易に確認することができる。
【００１０】
また、電子機器の使用方法は、複数の設置姿勢に対応した複数の表示ラベルが個々に剥ぎ取り可能に積層されて、パネル部に貼付された電子機器の使用方法であって、
複数の設置姿勢のうちの何れかを選択し、
選択された設置姿勢と前記パネル部の表示が、操作者に読み取り可能な方向に対応しているか否かを判断し、
前記判断に基づいて前記パネル部の表示が操作者に読み取り可能な方向になるように前記複数の表示ラベルをそのままにするかまたは剥ぎ取って使用することを特徴とする。
【００１１】
この電子機器の使用方法によれば、選択した設置姿勢に表示ラベルが読み取り可能に対応しているか否かを判断して、それに基づいてパネル部の表示が操作者に読み取り可能な方向となるように表示ラベルを剥ぎ取るので、様々な設置姿勢においてもパネル部の表示文字や記号を容易に確認することができる。
【図面の簡単な説明】
【００１２】
【図１】本発明に係る電子機器の一実施形態であるプリンターを示す斜視図である。
【図２】図１のプリンターのカバーを開いた状態の斜視図である。
【図３】図１のプリンター機構の構造を示す断面図である。
【図４】プリンターのパネル部を示す斜視図である。
【図５】パネル部に設けられる表示ラベルを示す図であって、（ａ），（ｂ）はそれぞれ表示ラベルの平面図である。
【図６】プリンターの使用方法を示す図であって、（ａ）は水平面上に設置されたプリンターの斜視図、（ｂ）は水平面上に設置されたプリンターのパネル部の平面図である。
【図７】プリンターの使用方法を示す図であって、（ａ）は垂直面上に設置されたプリンターの斜視図、（ｂ）は垂直面上に設置されたプリンターのパネル部の平面図である。
【図８】プリンターの使用方法を示すフローチャートである。
【発明を実施するための形態】
【００１３】
以下、本発明に係る電子機器の実施形態の例について図面を参照して説明する。
図１は本発明に係る電子機器の実施形態の例であるプリンターの斜視図、図２はプリンターのカバーを開いた状態の斜視図、図３はプリンター機構の構造を示す断面図、図４はプリンターのパネル部を示す斜視図、図５はパネル部に設けられる表示ラベルを示す平面図、図６は水平面に設置されたプリンターの斜視図及びインジケータ部の平面図、図７は垂直面に設置されたプリンターの斜視図及びインジケータ部の平面図である。
【００１４】
図１から図３に示すように、プリンター（電子機器）１は、例えば、記録媒体の一つであるロール状の記録紙Ｓに対して感熱方式のサーマルヘッド２により印刷を行うもので、例えば、ＰＯＳシステム等に用いられるレシートプリンターである。
【００１５】
プリンター１は、そのプリンター機構３が、樹脂からなるケース本体４によって覆われており、プリンター機構３に設けられたロール紙収容部５に記録紙Ｓが収容可能とされている。
ケース本体４の上部は、上部カバー６及び前方カバー７によって覆われており、上部カバー６は、プリンター機構３を構成するカバーフレーム２２に取り付けられ、プリンター１の後方側における水平軸線を中心として回動可能とされている。そして、この上部カバー６を回動させることにより、ロール紙収容部５が開閉される。
上部カバー６及び前方カバー７の間には、排紙口８が設けられており、この排紙口８から、印刷された記録紙Ｓが排出される。
【００１６】
プリンター１の上部における一側部側には、オープンボタン１１が設けられており、このオープンボタン１１を押下すると、上部カバー６が取り付けられたカバーフレーム２２をロックしているロック機構（図示省略）によるロックが解除され、上部カバー６を開いてロール紙収容部５を露出させることができるようになっている。また、プリンター１の上部における一側部側には、インジケータ部（パネル部）１２が設けられている。
【００１７】
プリンター機構３は、本体フレーム２１を備えており、この本体フレーム２１に、カバーフレーム２２が回動可能に連結されている。この本体フレーム２１の前方側には、記録紙Ｓを切断するオートカッター２３が設けられており、前方カバー７によって覆われている。
【００１８】
カバーフレーム２２を開いた内部には、ロール紙収容部５の下方側を形成する樹脂製のロール紙ホルダー２４が設けられている。
カバーフレーム２２の先端には、上部カバー６を閉じた状態にて、サーマルヘッド２と対向するプラテンローラー３１が設けられており、このプラテンローラー３１は、駆動機構（図示省略）によって回転する。そして、このプラテンローラー３１が回転すると、記録紙Ｓは、プラテンローラー３１とサーマルヘッド２とに挟持されて紙送りされ、排紙口８から排出される。
【００１９】
オートカッター２３は、カバーフレーム２２の先端に設けられた固定刃３３と、本体フレーム２１側に設けられた可動刃３４とを備えており、これら固定刃３３及び可動刃３４は、その刃筋方向がプリンター１の幅方向に沿うように配置されている。可動刃３４は、駆動機構３５によって、固定刃３３との間に所定の隙間をあけた待機位置と、固定刃３３に重なる切断終了位置との間で移動される。
そして、サーマルヘッド２による印刷処理位置を通過した記録紙Ｓは、待機位置から切断終了位置へ可動刃３４が移動されることにより、可動刃３２と固定刃３３とによって切断される。
【００２０】
図４に示すように、インジケータ部１２には、ケース本体４の上面からなる配列面１２ａに、ＬＥＤからなる複数の発光部４１ａ〜４１ｃ（発光部）及び押しボタンスイッチからなるフィードスイッチ４２（操作部）が配列されている。そして、これら発光部４１ａ〜４１ｃ及びフィードスイッチ４２が配列された配列面１２ａには、複数の表示ラベル４５Ａ，４５Ｂが積層されて貼付されている。表示ラベル４５Ａ，４５Ｂは、その裏面側に粘着剤が塗布されている。したがって、表示ラベル４５Ｂは、インジケータ部１２の配列面１２ａに貼付され、表示ラベル４５Ａは、表示ラベル４５Ｂの表面に貼付され、個々に剥ぎ取り可能とされている。
【００２１】
また、これら表示ラベル４５Ａ，４５Ｂには、発光部４１ａ〜４１ｃ及びフィードスイッチ４２に対応した位置に孔部４６が形成されており、配列面１２ａに対して積層させて貼り付けた状態で、各表示ラベル４５Ａ，４５Ｂの孔部４６にて発光部４１ａ〜４１ｃ及びフィードスイッチ４２が露出されている。
【００２２】
インジケータ部１２における発光部４１ａは、電源のＯＮ／ＯＦＦを表示するものであり、電源がＯＦＦ状態であれば消灯し、電源がＯＮ状態であれば点灯する。
【００２３】
発光部４１ｂは、エラーなどの動作状況を表示するもので、例えば、正常状態では消灯し、エラー状態では点滅する。また、この発光部４１ｂでは、例えば、紙送りまたはセルフテストなどが行われるオフライン時に点灯する。
【００２４】
発光部４１ｃは、記録紙Ｓの状態を表示するもので、収容されている記録紙Ｓの残量が十分にある場合は消灯し、記録紙Ｓがない場合または記録紙Ｓの残量が所定量以下となった場合に点灯する。また、この発光部４１ｃでは、セルフテストのためのテスト印刷が継続して待ち状態である場合に点滅する。
【００２５】
フィードスイッチ４２は、記録紙Ｓの紙送りを行うスイッチであり、このフィードスイッチ４２を押下すると、プラテンローラー３１が回転し、一定長さの記録紙Ｓが排紙口８から送り出される。
【００２６】
図５（ａ），（ｂ）に示すように、表示ラベル４５Ａ，４５Ｂには、それぞれの孔部４６の近傍位置に、それぞれの孔部４６で露出する発光部４１ａ〜４１ｃに対応した表示内容、または孔部４６で露出するフィードスイッチ４２の押下による動作内容を示す、表示５１ａ〜５１ｄが設けられている。
【００２７】
ここで、表示５１ａ〜５１ｄは、表示ラベル４５Ａ，４５Ｂにおいてそれぞれ異なる方向に設けられている。具体的には、表示ラベル４５Ａの表示５１ａ〜５１ｄ（図５（ａ）参照）に対して、表示ラベル４５Ｂでは、表示５１ａ〜５１ｄが上下逆向き（図５（ｂ）参照）とされている。
【００２８】
次に、上記のプリンター１の使用方法について説明する。
例えば、図６（ａ）に示すように、プリンター１をレジカウンターなどの台の水平面上に設置する場合、図６（ｂ）に示すように、プリンター１の手前側から見てインジケータ部１２の表示５１ａ〜５１ｄが読み取り可能な表示ラベル４５Ａを用いる。ここで、表示ラベル４５Ａは、表示ラベル４５Ｂの上面に貼付されて露出された最上部のものであるので、ユーザー（操作者）は、プリンター１をそのまま台上に設置すれば、インジケータ部１２での表示５１ａ〜５１ｄが読み取り可能な状態となる。
【００２９】
これに対して、図７（ａ）に示すように、プリンター１を、その手前側を上方へ向けて壁面などの垂直面に固定して設置する場合、インジケータ部１２の表示ラベル４５Ａの表示５１ａ〜５１ｄが上下逆向きとなり、読み取り困難となる。この場合、ユーザーは、インジケータ部１２における表示ラベル４５Ａを表示ラベル４５Ｂから剥ぎ取り、表示ラベル４５Ａとは上下逆向きの表示５１ａ〜５１ｄを有する表示ラベル４５Ｂを露出させる。すると、図７（ｂ）に示すように、インジケータ部１２での表示５１ａ〜５１ｄが読み取り可能な状態となる。
【００３０】
すなわち、図８に示すように、ユーザーはプリンター１の設置状態（姿勢）を選択し（ステップＳ０１）、選択された設置状態とインジケータ部１２の表示が、ユーザーに読み取り可能な状態に対応しているか否かを判断する（ステップＳ０２）。
例えば、図６（ａ），（ｂ）または図７（ａ），（ｂ）のようにインジケータ部１２の表示がユーザーに読み取り可能な状態であれば（ステップＳ０２：Ｙｅｓ）、ステップＳ０２の判断に基づいて、表示ラベル４５Ａをそのままにして（ステップＳ０３）、プリンター１を使用する。
または、例えば図７（ａ）に示すように、プリンター１を垂直面に固定して設置されてインジケータ部１２の表面が表示ラベル４５Ａであった場合には表示５１ａ〜５１ｄが上下逆向きとなるため、ステップＳ０２では読み取り困難と判断される（ステップＳ０２：Ｎｏ）。その場合には、表示ラベル４５Ａを剥がして表示ラベル４５Ｂを露出させ（ステップＳ０４）、図７（ｂ）に示すようにインジケータ部１２での表示５１ａ〜５１ｄを読み取り可能な状態とする。
【００３１】
このように、上記実施形態に係る電子機器であるプリンター及びその使用方法によれば、設置状態に対応して表示ラベル４５Ａ，４５Ｂを選択することにより、様々な設置状態に対応させた表示ラベル４５Ａ，４５Ｂを選択することができる。これにより、様々な設置状態においても表示ラベル４５Ａ，４５Ｂの表示文字や記号などの表示５１ａ〜５１ｄから円滑かつ容易に動作状況を確認することができる。
例えば、表示ラベル４５Ａ，４５Ｂが貼り付けられたインジケータ部１２の表示文字や記号などの表示５１ａ〜５１ｄと発光部４１ａ〜４１ｃでの発光の仕方から動作状況を容易に確認することができる。
【００３２】
なお、上記実施形態では、台上の水平面または壁面の垂直面に対して縦向きに設置する場合を例示して説明したが、プリンター１の設置状態としては、水平面または垂直面などに対して横向きに設置しても良い。この場合、横向きとした状態で読み取り可能な表示５１ａ〜５１ｄを有する表示ラベルを重ねて貼り付けておき、設置する際に、その表示ラベルを露出させることとなる。
また、プリンター１を設置する面は、水平面及び垂直面に限定されず、例えば、水平面または垂直面に対して傾斜した傾斜面であっても良い。
【００３３】
なお、上記実施形態では、記録紙Ｓに印刷を施して送り出し、オートカッター２３で切断するプリンター１を例示して説明したが、本発明の電子機器はプリンターに限定されるものではない。
【符号の説明】
【００３４】
１：プリンター（電子機器）、１２：インジケータ部（パネル部）、４１ａ〜４１ｃ：発光部、４５Ａ，４５Ｂ：表示ラベル、５１ａ〜５１ｄ：表示
【図１】
2011042134.tif 000003
【図２】
2011042134.tif 000004
【図３】
2011042134.tif 000005
【図４】
2011042134.tif 000006
【図５】
2011042134.tif 000007
【図６】
2011042134.tif 000008
【図７】
2011042134.tif 000009
【図８】
2011042134.tif 000010